(57)【要約】本発明は、ＬＥＤディスプレイスクリーンを提供する。当該ディスプレイスクリーンには、ハイパワーのＬＥＤ灯が取り付けられ、ハイパワー灯とディスプレイスクリーンとにより構成される新型ＬＥＤディスプレイスクリーンを形成する。当該ディスプレイスクリーンは、ディスプレイモジュールと、取付けフレームと、電源分配制御箱とを備える。前記ＬＥＤディスプレイモジュールには、ハイパワーのＬＥＤ灯が取り付けられ、ディスプレイモジュールと電源分配制御箱は、金属製フレームに取り付けられてディスプレイブロックを構成する。前記電源分配制御箱内には、駆動電源、信号受信カード、信号アダプタプレート及び迅速接続材等が取り付けられている。前記取付けフレームには、ディスプレイの取付け時、迅速に接続するための高効率接続材が取り付けられている。この構成によれば、ディスプレイスクリーンの構成が簡単になり、重量が軽くなり、迅速に取り付けやすくなり、きらびやかで美しい表示効果がある。
2016520856.tif 000002
【特許請求の範囲】
【請求項１】
ディスプレイスクリーンモジュールが、小さいＬＥＤ灯と、プリント基板と、電子デバイスとにより構成されるＬＥＤディスプレイスクリーンにおいて、
前記ディスプレイスクリーンモジュールには、ハイパワーのＬＥＤ灯が更に取り付けられ、ディスプレイスクリーン灯光モジュールを構成し、当該モジュールは、フレームに取り付けられ、前記フレームに取り付けられる電源分配制御箱に嵌めこんで接続されていることを特徴とするＬＥＤディスプレイスクリーン。
【請求項２】
前記ディスプレイスクリーンモジュールは、小さいＬＥＤ灯及び電子デバイスがプリント基板に溶接され、プラスチック製外部ケーシングにより保護されていることを特徴とする請求項１に記載のディスプレイスクリーン。
【請求項３】
前記フレームは、左右にある２つの引棒と、１つの固定枠とにより構成され、フレームの中央には、補強板が設けられ、引棒の上部には、Ｕ型溝が設けられ、下部には、Ｕ型溝と嵌合するプラグが設けられ、Ｕ型溝のそばには、上、下の引棒を接続するためのラッチプレートが取り付けられ、２つのブロックが上、下において迅速に接続されることを特徴とする請求項１に記載のディスプレイスクリーン。
【請求項４】
前記電源分配制御箱は、金属製底ケーシングと、金属製上蓋とにより構成され、金属製底ケーシング内には、駆動電源と、電源出力及び信号過渡プレートと、信号出力プレートとが取り付けられ、金属製底ケーシングの両端には、電源、信号を迅速に接続するソケットとプラグが取り付けられ、金属製上蓋内には、アダプタプレートが取り付けられていることを特徴とする請求項１に記載のディスプレイスクリーン。
【請求項５】
前記ハイパワーのＬＥＤ灯は、放熱機能を有する外部ケーシング内に取り付けられ、灯表面には、スポットシェードが被せられていることを特徴とする請求項１に記載のディスプレイスクリーン。
【請求項６】
前記フレームは、ブロックの取付け時、左右にあるモジュールを迅速に接続するための２組の迅速接続材が左右にある２つの引棒に取り付けられ、そのうちの１組は、平面使用時のディスプレイスクリーンの接続に用いられ、もう１組は、ブロック間に角度があるときの接続に用いられることを特徴とする請求項３に記載のディスプレイスクリーン。
【請求項７】
前記フレームの左右にある引棒には、ディスプレイスクリーンを手に提げるための一組の回転可能な手提げ部材が取り付けられることを特徴とする請求項４に記載のディスプレイスクリーン。
【請求項８】
前記底ケーシングと上蓋の間には、防水緩衝ゴムが設けられ、ネジにより強固に固定されていることを特徴とする請求項４に記載のディスプレイスクリーン。
【請求項９】
前記駆動電源の直流電源と、受信カードの信号は、嵌め込み接続の方法によりアダプタプレートに伝送されることを特徴とする請求項４に記載のディスプレイスクリーン。
【請求項１０】
前記ディスプレイスクリーンモジュールの平面取付け時に用いられる迅速接続材は、スライド締め具と締め具ブラケットとにより構成され、スライド締め具は、固定ブラケット内に取り付けられ、左右にスライド及び回転可能であり、使用時、スライド締め具と締め具ブラケットを位置合わせた後、９０°回転させると、スライド締め具と締め具ブラケットが一体に固定され、前記ブロック間に角度があるときに用いられる迅速接続材は、一対の弧形リングと、一対の締め具により構成され、弧形リングは、サポートブラケットに取り付けられ、サポートブラケットにおいては、スライドしてその間隔を調整するとともに、同一の弧度を保ち、距離を調整した後、締め具により２つの弧形リングが接続されることを特徴とする請求項６に記載のディスプレイスクリーン。
【発明の詳細な説明】
【技術分野】
【０００１】
本発明は、ＬＥＤディスプレイ分野に属し、特に、組み合わせ可能なＬＥＤディスプレイスクリーンに関する。
【背景技術】
【０００２】
ＬＥＤディスプレイスクリーンは、ＬＥＤ（発光ダイオード）を制御して発光する表示製品であり、画像、文字及び映像等を表示するのに用いられる。アウトドア広告、舞台背景映像及び文字情報等の放送に主に用いられる。ハイパワーのＬＥＤ灯は、きらびやかで美しい照明効果があり、舞台演出においてセンセーション効果に用いることができる。現在、ライトとディスプレイを結合する製品がまだ登場していない。舞台背景効果に用いられるディスプレイスクリーンには、軽快で迅速に取り付けられる製品もあるが、ほとんどは、外枠が比較的大きく、異なる形状のスクリーンに組み立てるときの効果が良くない。
【発明の概要】
【発明が解決しようとする課題】
【０００３】
上述した問題に鑑み、本発明の主な目的は、舞台演出背景に対して更にきらびやかで美しい効果を持たせる、ライトとディスプレイを結合するＬＥＤ製品を提供することである。モジュールは、１つの精巧なフレームに取り付けられ、迅速に取り付けたり分解したりすることができ、異なる形状のディスプレイスクリーンに組み立てることができる。
【課題を解決するための手段】
【０００４】
上述した目的を実現するために、本発明は、以下の構成を採用する：
小さいＬＥＤ灯と、プリント基板と、電子デバイスとにより構成されるディスプレイスクリーンモジュールを有するＬＥＤディスプレイスクリーンであり、ディスプレイスクリーンモジュールには、ハイパワーのＬＥＤ照明が更に取り付けられ、表示効果及び照明効果のあるディスプレイスクリーン照明モジュールを構成し、当該モジュールは、フレームに取り付けられ、フレームに取り付けられている電源分配制御箱に嵌めこんで接続する。
【０００５】
前記ディスプレイスクリーンモジュールは、小さいＬＥＤ灯及び電子デバイスがプリント基板に溶接され、プラスチック製外部ケーシングにより保護されていることが好ましい。
【０００６】
前記フレームは、左右にある２つの引棒と、１つの固定枠とにより構成され、フレームの中央には、補強板が設けられ、引棒の上部には、Ｕ型溝が設けられ、下部には、Ｕ型溝と嵌合するプラグが設けられ、Ｕ型溝のそばには、上、下の引棒を接続するためのラッチプレートが取り付けられ、２つのブロックが上、下において迅速に接続されることが好ましい。
【０００７】
前記電源分配制御箱は、金属製底ケーシングと、金属製上蓋とにより構成され、金属製底ケーシング内には、駆動電源と、電源出力及び信号過渡プレートと、信号出力プレートとが取り付けられ、金属製底ケーシングの両端には、電源、信号を迅速に接続するソケットとプラグが取り付けられ、金属製上蓋内には、アダプタプレートが取り付けられていることが好ましい。
【０００８】
前記ハイパワーのＬＥＤ灯は、放熱機能を有する外部ケーシング内に取り付けられ、灯表面には、スポットシェードが被せられていることが好ましい。
【０００９】
前記フレームは、モジュールの取付け時、左右にあるブロックを迅速に接続するための２組の迅速接続材が左右にある２つの引棒に取り付けられ、そのうちの１組は、平面使用時のディスプレイスクリーンの接続に用いられ、もう１組は、ブロック間に角度があるときの接続に用いられることが好ましい。
【００１０】
前記フレームの左右にある引棒には、ディスプレイスクリーンを手に提げるための回転可能な手提げ部材が取り付けられることが好ましい。
【００１１】
前記底ケーシングと上蓋の間には、防水緩衝ゴムが設けられ、ネジにより強固に固定されていることが好ましい。
【００１２】
前記駆動電源の直流電源と、受信カードの信号は、嵌め込み接続の方法によりアダプタプレートに伝送されることが好ましい。
【００１３】
前記ディスプレイスクリーンモジュールの平面取付け時に用いられる迅速接続材は、スライド締め具と締め具ブラケットとにより構成され、スライド締め具は、固定ブラケット内に取り付けられ、左右にスライド及び回転可能であり、使用時、スライド締め具と締め具ブラケットを位置合わせた後、９０°回転させると、スライド締め具と締め具ブラケットが一体に固定され、前記ブロック間に角度があるときに用いられる迅速接続材は、一対の弧形リングと、一対の締め具により構成され、弧形リングは、サポートブラケットに取り付けられ、サポートブラケットにおいては、スライドしてその間隔を調整するとともに、同一の弧度を保ち、距離を調整した後、締め具により２つの弧形リングが接続されることが好ましい。
【００１４】
本発明の有益な効果は、以下の通りである：従来技術に比べ、当該技術案のＬＥＤディスプレイスクリーンは、灯光と映像の２つの効果を有するので、よりきらびやかで美しい背景ができる。ディスプレイスクリーンブロックは、軽便である取付けフレームを採用し、フレームには、ディスプレイスクリーンの平面又は弧形取付け時に用いられる接続締め具が設けられているので、ディスプレイスクリーンが応用の要求をより満足することができる。
【図面の簡単な説明】
【００１５】
【図１】本発明のディスプレイスクリーンブロックの構造模式図である。
【図２】本発明のディスプレイスクリーンモジュールの構造模式図である。
【図３】本発明のディスプレイスクリーンの電源分配制御箱の構造模式図である。
【図４】本発明のディスプレイスクリーンフレームの構造模式図である。
【発明を実施するための形態】
【００１６】
図面を参照しながら、具体的な実施形態を用いて本発明を更に詳しく説明する。
【００１７】
図１に示すように、本発明の具体的な実施形態の１つのディスプレイスクリーンは、ＬＥＤ灯及び関連部材により構成されるモジュール１と、金属製枠２１、引棒２２、補強板２３及び締め具２４により構成される固定フレーム２と、駆動電源３１、金属製外部ケーシング３２、受信カード３３、緩衝ゴム３４及び迅速端子３５等により構成される電源分配制御箱３とを備える。モジュール１と電源分配制御箱３は、フレーム２に取り付けられている。フレーム２の外形サイズは、ブロックより小さい。
【００１８】
図２に示すように、モジュール１には、ハイパワーのＬＥＤ灯１２が取り付けられている。
【００１９】
図３に示すように、電源分配制御箱３は、金属製底ケーシング３２１と、金属製上蓋３２２とにより構成され、底ケーシング３２１内の中央中部には、駆動電源３１が取り付けられ、両端には、電源信号過渡プレート３６と信号出力プレート３７とが取り付けられている。底ケーシングの両端には、迅速端子ブラケット３５１と迅速端子３５２とが取り付けられている。底ケーシング３２１と上蓋３２２の間には、防水緩衝ゴム３８が設けられている。上蓋３２２内には、アダプタプレート３９が取り付けられ、受信カード３３は、アダプタプレート３９に固定されている。電源信号過渡プレート３６と信号出力プレート３７には、コネクタブラケット３６１が取り付けられ、アダプタプレート３９には、コネクタピン３９１が取り付けられている。
【００２０】
図４に示すように、固定フレーム２は、モジュール１及び電源分配制御箱３を取り付けるために用いられるとともに、ディスプレイスクリーンの取付け時、ディスプレイスクリーンブロックと吊り横梁の接続及びブロック同士の接続にも用いられる。固定フレームの金属製枠２１には、２本の引棒２２が取り付けられている。引棒２２の一端は、Ｕ溝であり、スライド可能な止め金２５が取り付けられ、他端は、協働するプラグである。引棒には、２組の異なる用途の締め具２４１と締め具２４２が取り付けられ、締め具２４１は、ディスプレイの平面取付け時、ブロックを左右に接続するために用いられ、スライド締め具は、スライドキャリエッジ内に取り付けられ、スライド締め具と締め具ブラケットを位置合わせた後、引手を引くと、強固に締め付けることができる。締め具２４２は、ディスプレイスクリーンの弧形取付け時、左右に接続するために用いられ、一対の弧形リングは、それぞれ弧形ブラケットに取り付けられ、一方の弧形リングには、スナップファスナーが取り付けられ、一方の弧形リングには、スナップピンが取り付けられ、弧形リングが弧形ブラケットにスライドするとき、２つの弧形リング間に形成された弧度が変わらない。引棒には、ディスプレイスクリーンブロックを手に提げるための一対の回転可能なハンドル２６が更に取り付けられている。
【００２１】
具体的には、以下の通り取り付ける：ディスプレイスクリーンの平面取付け時、引棒２２のＵ形状溝と上の１つのディスプレイスクリーンブロックの引棒２２のプラグまたは吊り横梁掛け部材とを位置合わせした後、止め金により２本の引棒を接続させ、スライド締め具を移動させて締め具ブラケットと位置合わせした後、スライド締め具を引いて締め具ブラケットの弧形溝に沿って十分に嵌め込む。ディスプレイスクリーンの非平面取付け時、ディスプレイスクリーンブロックの吊りは、上述した内容と同じで、ディスプレイスクリーンブロックを左右に接続するとき、弧形リングを固定するためのねじを緩め、２つの弧形リング間の距離を調整し、適切な位置に調整した後、弧形リングを固定するためのねじを締結して、スナップファスナーを引いてスナップピンを押さえる。
【００２２】
上述した内容は、本発明の好ましい実施例であり、本発明は、これらの実施例に限られるものではない。本発明の主旨から逸脱しない限り、様々な変形や取り替えは、全て本発明の請求の範囲内に含まれる。
【図１】
2016520856.tif 000003
【図２】
2016520856.tif 000004
【図３】
2016520856.tif 000005
【図４】
2016520856.tif 000006
【国際調査報告】
2016520856.tif 000007
2016520856.tif 000008
2016520856.tif 000009
2016520856.tif 000010